(57)【要約】【課題】構造の簡素化を図りつつ、清掃作業を効率よく行うことができるモップを提供すること。【解決手段】端部が開口し、かつ軸方向に延びる空間１１ｂが内側に形成された筒部１１を有し、この筒部１１の外面に払拭材１２が設けられたモップ本体１と、把手部２１、および把手部２１の先端側に設けられ、筒部１１の開口１１ａから空間１１ｂに挿入されてモップ本体１を保持するヘッド部２２、を有する保持具２と、を備えたモップＡ１であって、保持具２のヘッド部２２は、一定方向に延びる棒状体とされ、かつ外周の周方向に沿って形成された環状凹部２２ａを有し、モップ本体１の筒部１１の内周には、半径方向内方に張り出す凸部１１ｃが設けられており、保持具２に対してモップ本体１が装着された状態において、環状凹部２２ａに凸部１１ｃが嵌まることにより、保持具２に対するモップ本体１の軸方向での相対移動が規制される。【選択図】図３
2010274026.tif 000002
【特許請求の範囲】
【請求項１】
端部が開口し、かつ軸方向に延びる挿入空間が内側に形成された筒部を有し、この筒部の外面に払拭材が設けられたモップ本体と、
把手部、およびこの把手部の先端側に設けられ、上記筒部の開口から上記挿入空間に挿入されて上記モップ本体を保持するヘッド部、を有する保持具と、を備えたモップであって、
上記保持具のヘッド部は、一定方向に延びる棒状体とされ、かつ外周の周方向に沿って形成された凹部を有し、
上記モップ本体の上記筒部の内周には、半径方向内方に張り出す凸部が設けられており、
上記保持具に対して上記モップ本体が装着された装着状態において、上記保持具の上記凹部に上記モップ本体の上記凸部が嵌まることにより、上記保持具に対する上記モップ本体の軸方向での相対移動が規制されることを特徴とする、モップ。
【請求項２】
上記保持具の上記ヘッド部は、一定方向に延びる丸棒状とされている、請求項１に記載のモップ。
【請求項３】
上記モップ本体の上記凸部は、上記筒部における上記開口の近傍に設けられている、請求項１または２に記載のモップ。
【請求項４】
上記モップ本体の上記筒部は、軸方向と交差する方向に屈曲可能であるとともに、上記装着状態において、上記ヘッド部の先端側における所定長さにわたって上記ヘッド部が挿入されない非挿入部分を有する、請求項１ないし３のいずれかに記載のモップ。
【請求項５】
上記モップ本体の上記筒部は、半径方向の一方向においてその一方向と直交する方向よりも屈曲しにくくされている、請求項４に記載のモップ。
【請求項６】
上記保持具の上記ヘッド部は、軸方向に間隔を隔てて形成された複数の上記凹部を有する、請求項１ないし５のいずれかに記載のモップ。
【請求項７】
上記モップ本体の上記筒部には、上記複数の上記凹部と対応する配置で複数の上記凸部が形成されている、請求項６に記載のモップ。
【請求項８】
請求項１ないし７のいずれかに記載のモップと、このモップにおける上記モップ本体を内部に収容可能な有底円筒状の収容ケースと、を備えることを特徴とする、モップと収容ケースとのセット。
【発明の詳細な説明】
【技術分野】
【０００１】
本発明は、ハンディタイプのモップ、およびこのモップと収容ケースとのセットに関する。
【背景技術】
【０００２】
室内の清掃などに用いられるハンディタイプのモップとしては、一般に、把手部を有する保持具にモップ本体が装着されたものが使用される。近年では、モップ本体が使い捨て用とされたものが知られている。このような使い捨て用のハンディタイプのモップは、たとえば特許文献１に記載されている。
【０００３】
特許文献１に開示されたモップは、同文献の図１、図３、および図５等に表れているように、モップ本体と、このモップ本体を保持するための把手（保持具）とを備えて構成されている。上記モップ本体は、払拭材としての不織布数枚を重ね合わせ、長手方向に沿う平行な３本の溶着ラインにて貼り合わされたものである。これら溶着ラインによってモップ本体には筒部が形成され、この筒部の内側に隙間（挿入空間）が形成されている。把手は、部分的に湾曲させられた把手部と、この把手部の先端側に設けられ、モップ本体の隙間に挿入される偏平な２本の差込板（ヘッド部）を有する取付け部と、を備える。差込板の外側の縁には、凸部が設けられている。また、取付け部には、２本の差込板の間に突き出る押さえ板が形成されている。把手に対するモップ本体の装着は、モップ本体の隙間に取付け部の差込板を挿入することにより行う。把手にモップ本体が装着された状態において、差込板の凸部が外側の溶着ライン（筒部）の内面に当接し、かつ、押さえ板と差込板との間にモップ本体が挟まれている。このようにして、モップ本体の装着時には、モップ本体が把手に係止される。また、この装着状態において、把手部はモップ本体の上面側に偏倚した位置にある。
【０００４】
上記構成のモップを使用した清掃作業は、把手部を握りながらモップ本体の下面によって清掃対象物の表面を擦ることにより行う。清掃作業によってモップ本体が汚れた場合には、当該モップ本体を取り外し、新品に交換することにより、繰り返し清掃作業を行うことができる。
【０００５】
しかしながら、上記従来のモップにおいては、把手に設けられた凸部や押さえ板によってモップ本体を係止する構成であるため、構造が比較的に複雑になる傾向にある。また、把手部がモップ本体の上面に偏倚していることから、モップ本体の上面側は清掃作業面として機能させることができない。さらに、シート状のモップ本体が偏平な差込板に支持された構成であることから、狭い隙間などを清掃する際に困難な場合があった。
【先行技術文献】
【特許文献】
【０００６】
【特許文献１】特開２００３−２６５３９１号公報
【発明の概要】
【発明が解決しようとする課題】
【０００７】
本発明は、このような事情のもとで考え出されたものであって、保持具にモップ本体を着脱可能に装着する構成のハンディタイプのモップにおいて、構造の簡素化を図りつつ、清掃作業を効率よく行うことができるモップを提供することを課題としている。
【課題を解決するための手段】
【０００８】
上記の課題を解決するため、本発明では、次の技術的手段を講じている。
【０００９】
本発明の第１の側面によって提供されるモップは、端部が開口し、かつ軸方向に延びる挿入空間が内側に形成された筒部を有し、この筒部の外面に払拭材が設けられたモップ本体と、把手部、およびこの把手部の先端側に設けられ、上記筒部の開口から上記挿入空間に挿入されて上記モップ本体を保持するヘッド部、を有する保持具と、を備えたモップであって、上記保持具のヘッド部は、一定方向に延びる棒状体とされ、かつ外周の周方向に沿って形成された凹部を有し、上記モップ本体の上記筒部の内周には、半径方向内方に張り出す凸部が設けられており、上記保持具に対して上記モップ本体が装着された装着状態において、上記保持具の上記凹部に上記モップ本体の上記凸部が嵌まることにより、上記保持具に対する上記モップ本体の軸方向での相対移動が規制されることを特徴としている。
【００１０】
このような構成のモップにおいて、保持具に対するモップ本体の装着は、保持具のヘッド部に形成された凹部にモップ本体の筒部の内周に設けられた凸部が嵌まるまで、ヘッド部を筒部内に挿入することにより行う。すなわち、上記構成によれば、保持具に凹部を設け、この凹部に嵌まる凸部をモップ本体に設けるといった比較的簡単な構造としつつ、モップ本体を保持具に係止させて適正な装着状態とし、清掃作業を行うことができる。
【００１１】
好ましい実施の形態においては、上記保持具の上記ヘッド部は、一定方向に延びる丸棒状とされている。このような構成によれば、保持具のヘッド部は、周方向における方向性を有していない。したがって、保持具に装着されたモップ本体ついては、周方向のほぼ全面を清掃作業面として機能させることができ、その結果、清掃作業を効率よく行うことができる。
【００１２】
好ましい実施の形態においては、上記モップ本体の上記凸部は、上記筒部における上記開口の近傍に設けられている。このような構成によれば、保持具の凹部にモップ本体の凸部が嵌まったことを目視によっても容易に確認することができる。
【００１３】
好ましい実施の形態においては、上記モップ本体の上記筒部は、軸方向と交差する方向に屈曲可能であるとともに、上記装着状態において、上記ヘッド部の先端側における所定長さにわたって上記ヘッド部が挿入されない非挿入部分を有する。このような構成によれば、たとえば狭い隙間を清掃する場合、モップ本体の先端側を屈曲させながら当該隙間に挿入して清掃作業を行うことができる。このことは、清掃作業の効率向上に資する。
【００１４】
好ましい実施の形態においては、上記モップ本体の上記筒部は、半径方向の一方向においてその一方向と直交する方向よりも屈曲しにくくされている。このような構成によれば、使用状況に応じてモップ本体の屈曲を抑制させることが可能であり、使い勝手がよい。
【００１５】
好ましい実施の形態においては、上記保持具の上記ヘッド部は、軸方向に間隔を隔てて形成された複数の上記凹部を有する。このような構成によれば、ヘッド部に形成された複数の凹部のいずれにモップ本体の凸部を嵌めるかを選択することにより、保持具とモップ本体との係止状態を確保しつつ、モップ本体の筒部に対する保持具のヘッド部の挿入深さを変更することができる。したがって、清掃目的に応じてモップ本体に対するヘッド部の挿入深さを調節して使用することができ、使い勝手がよい。
【００１６】
好ましい実施の形態においては、上記モップ本体の上記筒部には、上記複数の上記凹部と対応する配置で複数の上記凸部が形成されている。このような構成によれば、複数の凸部を、それぞれ保持具の対応する凹部に嵌めて使用することにより、モップ本体装着時の係止の確実性を図ることができる。
【００１７】
本発明の第２の側面によって提供されるモップと収容ケースとのセットは、本発明の第１の側面によって提供されるモップと、このモップにおける上記モップ本体を内部に収容可能な有底円筒状の収容ケースと、を備えることを特徴としている。このような構成のモップと収容ケースとのセットによれば、モップの不使用時において、収容ケースを用いて起立状態で保管することができるので、モップの保管スペースを小さくすることができるとともに、保管時における外観上の体裁がよくなる。
【００１８】
本発明のその他の特徴および利点は、添付図面を参照して以下に行う詳細な説明によって、より明らかとなろう。
【図面の簡単な説明】
【００１９】
【図１】本発明に係るモップの一例を示す全体斜視図である。
【図２】本発明に係るモップの一例を示す平面図である。
【図３】図２のＩＩＩ−ＩＩＩ線に沿う断面図である。
【図４】モップ本体の作製方法の一例における一部の工程を説明する平面図である。
【図５】モップ本体の作製方法の一例における一部の工程を説明する平面図である。
【図６】モップ本体の作製方法の一例における一部の工程を説明する平面図である。
【図７】図３のＶＩＩ−ＶＩＩ線に沿う断面図である。
【図８】本発明に係るモップと収容ケースとのセットの一例を示す全体斜視図である。
【図９】図８のＩＸ−ＩＸ線に沿う断面図である。
【図１０】本発明に係るモップの他の例を示す図３と同様の断面図である。
【図１１】本発明に係るモップの他の例を示す図３と同様の断面図である。
【発明を実施するための形態】
【００２０】
以下、本発明の好ましい実施の形態について、図面を参照して具体的に説明する。
【００２１】
図１は、本発明に係るモップの一例を示す全体斜視図である。本実施形態のモップＡ１は、モップ本体１と、このモップ本体１を保持する保持具２とを備えており、ハンディタイプのモップとして適用されたものである。
【００２２】
モップ本体１は、図１〜図３に示すように、筒部１１と、筒部１１の外面に設けられた払拭材１２とを備えている。筒部１１は、所定の軸方向に延びており、当該軸方向の基端側の端部に開口１１ａを有している。筒部１１の内側には、空間１１ｂが形成されている。また、筒部１１の内周には、開口１１ａの近傍において半径方向内方に張り出す凸部１１ｃが設けられている。
【００２３】
このモップ本体１は、たとえば、以下の手順によって作製される。図４に示すように、
複数のひも状素材１００を纏めて長矩形状の基布１０１の上に並べ、ひも状素材１００の中央の２箇所を基布１０１の長手方向に沿うように基布１０１に縫い付け（図中の縫合部１０２）、略長矩形状のひも状素材集合体１００Ａを得る。次に、図５に示すように、ひも状素材集合体１００Ａを、基布１０１が内側となるように折り返して重ね合わせ、折り返した位置から他方の端部１０３の手前まで上記長手方向に沿うように基布１０１の重合部分を縫合する（図中の縫合部１０４）。これにより、上記長手方向（軸方向）に沿って偏平状の内部空間が形成され、筒部１１の主要部分が形成される。次に、図６に示すように、上記端部１０３を外側に折り返し、折り返した部分を縫い止める（図中の縫合部１０５）。この折り返し部分の形成によって、当該部分は半径方向内方に張り出しており、筒部１１の凸部１１ｃを構成する。また、ひも状素材１００のうち、筒部１１の外側において纏められていない部分は、払拭材１２を構成する。なお、上記ひも状素材１００は、たとえば帯状にした繊維、あるいは複数の糸を撚り合わせたものなどから形成されている。
【００２４】
上記構成のモップ本体１において、筒部１１は、ひも状素材１００の結束部と、基布１０１とからなるものであるので、ある程度の柔軟性を有しており、軸方向と交差する方向に屈曲可能となっている。また、筒部１１は、軸方向に沿うように二対の直線状の縫合部１０２，１０４を含んで形成されている。このため、図７に示すように、筒部１１の半径方向のうち、二対の縫合部１０２，１０４を通る方向Ｎ１においては、これと直交する方向Ｎ２よりも屈曲しにくくなっている。
【００２５】
図３に表れているように、保持具２は、把持部２１と、この把持部２１の先端に設けられたヘッド部２２とを備え、全体として一定方向に延びる木製の丸棒状とされている。ヘッド部２２は、モップ本体１の筒部１１内側の空間１１ｂに挿入される部分であり、このヘッド部２２の外周には、周方向に沿う環状凹部２２ａが形成されている。また、ヘッド部２２は、先端に向かうにつれて先細りとなっている。このヘッド部２２を筒部１１の開口１１ａから筒部１１内側の空間１１ｂに挿入することにより、モップ本体１はヘッド部２２（保持具２）に対して装着保持される。モップ本体１の装着状態においては、ヘッド部２２の環状凹部２２ａに筒部１１の凸部１１ｃが嵌まっており、保持具２に対するモップ本体１の軸方向での相対移動が規制される。また、モップ本体１の装着状態において、筒部１１の軸方向における中央から先端にかけては、ヘッド部２２が挿入されていない部分（非挿入部分）となっている。
【００２６】
上記構成のモップＡ１の作用について説明する。
【００２７】
本実施形態のモップＡ１を用いて清掃作業を行う際には、あらかじめモップ本体１を保持具２に装着しておく。保持具２に対してモップ本体１を装着する際には、図３を参照して上述したように、保持具２のヘッド部２２外周の環状凹部２２ａにモップ本体１の筒部１１内周の凸部１１ｃが嵌まるまで、ヘッド部２２を筒部１１内に挿入する。ここで、保持具２に対するモップ本体１の装着は、先細りの丸棒状のヘッド部２２を筒部１１内に挿入するといった簡単な操作によってスムーズに行うことができる。また、環状凹部２２ａに凸部１１ｃが嵌まったことは、ヘッド部２２挿入時の節度感によって感知することができる。さらに、本実施形態においては、モップ本体１の凸部１１ｃは、筒部１１における開口１１ａの近傍に設けられているため、保持具２の環状凹部２２ａにモップ本体１の凸部１１ｃが嵌まったことを目視によっても容易に確認することができる。このようなことから理解されるように、本実施形態のモップＡ１によれば、保持具２に環状凹部２２ａを設け、この環状凹部２２ａに嵌まる凸部１１ｃをモップ本体１に設けるといった比較的簡単な構造としつつ、簡単な操作によって、モップ本体１を保持具２に係止させて適正な装着状態とすることができる。
【００２８】
また、保持具２のヘッド部２２は、丸棒状とされているので、周方向における方向性を有していない。したがって、保持具２に装着されたモップ本体１については、周方向のほぼ全面を清掃作業面として機能させることができ、その結果、清掃作業を効率よく行うことができる。
【００２９】
モップ本体１の筒部１１は、軸方向と交差する方向に屈曲可能とされており、また、モップ本体１の装着状態において、ヘッド部２２の先端側における所定長さにわたってヘッド部２２が挿入されない非挿入部分を有する。このため、モップＡ１を用いた清掃作業においては、たとえば保持具２の把手部２１が清掃対象物の表面に対して傾斜した姿勢であっても、モップ本体１の先端側を屈曲させて清掃対象物の表面に沿わせることができる。また、たとえば狭い隙間を清掃する場合においても、モップ本体１の先端側を、屈曲させながら当該隙間に挿入することができる。したがって、本実施形態のモップＡ１によれば、様々な状況に応じて清掃作業を適切に行うことができ、清掃作業の効率向上に資する。
【００３０】
モップ本体１の筒部１１は、半径方向の方向Ｎ１においてその方向Ｎ１と直交する方向Ｎ２よりも屈曲しにくくされている。このような構成によれば、たとえば清掃作業時にモップ本体１を方向Ｎ１に沿うように動かすと、清掃対象物の表面との摩擦によってモップ本体１が不当に撓むといった不都合は抑制される。このように、筒部１１の半径方向において、屈曲の度合いが相違するように方向性を持たせておけば、使用状況に応じてモップ本体１の屈曲を抑制させることが可能であり、使い勝手がよい。
【００３１】
図８および図９は、本発明に係るモップと、このモップを収容するケースとのセットの一例を示している。図８および図９に表されたセットＳは、上述したモップＡ１と、有底円筒状の収容ケースＢとを備え、収容ケースＢにモップＡ１が差し込まれた状態を表している。ここで、モップ本体１は、下方に少し押し込むことにより、収容ケースＢの内部に収容されている。そして、モップ本体１の払拭材１２は、収容ケースＢ内部において略均等に分散した状態にある。
【００３２】
上記構成のセットＳによれば、モップＡ１の不使用時には、収容ケースＢを用いて起立状態で保管することができるので、モップＡ１の保管スペースを小さくすることができる。また、セットＳを用いれば、モップ本体１が収容ケースＢ内に収容されている。このため、モップＡ１の保管時における外観上の体裁がよく、セットＳをインテリアの一部として利用することが可能である。
【００３３】
上述したように、モップ本体１の払拭材１２は収容ケースＢ内部において略均等に分散した状態にあるため、モップＡ１を収容ケースＢから取り出すと、払拭材１２は、自然に筒部１１の外面全周に拡がる。したがって、モップＡ１を収容ケースＢから取り出してすぐに清掃作業を行っても、モップ本体１の外周全体を清掃作業面として機能させることができ、使い勝手がよい。
【００３４】
図１０および図１１は、本発明に係るモップの他の例を示している。なお、図１０および図１１においては、上記実施形態と同一または類似の要素には、上記実施形態と同一の符号を付しており、適宜説明を省略する。
【００３５】
図１０に示されたモップＡ２においては、保持具２のヘッド部２２には、上記実施形態と異なり、軸方向に所定の間隔を隔てて複数の環状凹部２２ａが形成されている。このような構成によれば、ヘッド部２２に形成された複数の環状凹部２２ａのいずれにモップ本体１の凸部１１ｃを嵌めるかを選択することにより、保持具２とモップ本体１との係止状態を確保しつつ、モップ本体１に対するヘッド部２２の挿入深さを変更することができる。図１０（ａ）は、ヘッド部２２の挿入深さが最も小さい場合を表し、図１０（ｂ）は、ヘッド部２２の挿入深さが最も大きい場合を表す。このように挿入深さを変更すれば、ヘッド部２２が挿入されていない非挿入部分の長さ（別言するとモップ本体１の屈曲可能な部分の長さ）を変えることができる。したがって、モップＡ２によれば、清掃目的に応じてモップ本体１に対するヘッド部２２の挿入深さを調節して使用することができ、使い勝手がよい。
【００３６】
図１１に示されたモップＡ３においては、上記実施形態のモップＡ１と異なり、モップ本体１の筒部１１の内部には、仕切り壁１１ｄが形成されている。この仕切り壁１１ｄは、筒部１１内へのヘッド部２２の挿入深さを規制するためのものであり、たとえば筒部１１の適所を上下重合して縫合することによって形成される。図１１に表れているように、筒部１１に対するヘッド部２２の挿入が仕切り壁１１ｄによって規制された状態において、ヘッド部２２の環状凹部２２ａに筒部１１の凸部１１ｃが嵌まっている。このような構成によれば、筒部１１内にヘッド部２２が過度に挿入されるのを防止することができ、使い勝手がよい。
【００３７】
以上、本発明の具体的な実施形態を説明したが、本発明はこれに限定されるものではなく、発明の思想から逸脱しない範囲内で種々な変更が可能である。本発明に係るモップおよび収容ケースの各部の具体的な形状や材質なども、上記実施形態に限定されるものではない。
【００３８】
上記実施形態のモップＡ１においては、モップ本体１の筒部１１内周に１つの凸部１１ｃが設けられた例について説明したが、これに代えて、複数の凸部１１ｃを、筒部１１の軸方向に離間させて設けてもよい。複数の凸部１１ｃを設ける場合、いずれの凸部１１ｃをヘッド部２２の環状凹部２２ａに嵌めるかを選択することにより、保持具２とモップ本体１との係止状態を確保しつつ、モップ本体１に対するヘッド部２２の挿入深さを変更することができる。
【００３９】
また、上記実施形態のモップＡ２において、保持具２のヘッド部２２に複数の環状凹部２２ａが形成された例について説明したが、これに加え、モップ本体１の筒部１１において、複数の環状凹部２２ａと対応する配置で複数の凸部１１ｃを設けてもよい。このような構成によれば、複数の凸部１１ｃを、それぞれ保持具２の対応する環状凹部２２ａに嵌めて使用することにより、モップ本体１装着時の係止の確実性を図ることができる。
【００４０】
上記実施形態では、保持具２（ヘッド部２２）が丸棒状とされた場合を例に挙げて説明したが、保持具としては、一定方向に延びる棒状体とされていればよく、たとえば断面四角形の角棒状など他の形状の棒状体としてもよい。また、ヘッド部が角棒状の場合、ヘッド部の外周に形成される凹部としては、環状以外の構成としてもよく、たとえばヘッド部の周方向に沿うようにして角部に分離して形成してもよい。
【符号の説明】
【００４１】
Ａ１，Ａ２，Ａ３    モップ
Ｂ        収容ケース
Ｓ        セット
１        モップ本体
２        保持具
１１      筒部
１１ａ    開口
１１ｂ    空間（挿入空間）
１１ｃ    凸部
１２      払拭材
２１      把持部
２２      ヘッド部
２２ａ    環状凹部（凹部）
【図１】
2010274026.tif 000003
【図２】
2010274026.tif 000004
【図３】
2010274026.tif 000005
【図４】
2010274026.tif 000006
【図５】
2010274026.tif 000007
【図６】
2010274026.tif 000008
【図７】
2010274026.tif 000009
【図８】
2010274026.tif 000010
【図９】
2010274026.tif 000011
【図１０】
2010274026.tif 000012
【図１１】
2010274026.tif 000013